(57)【要約】【課題】  予め入力・編集しておいた情報に基づく印刷処理と加工処理とを別工程で実行可能な印刷／加工システム等を提供することを課題とする。【解決手段】  墨字印刷部１０、点字打刻部２０とおよび記憶部３０を有するラベル作成装置１であって、墨字印刷部１０は、印刷情報並びに打刻処理を実行させるための打刻処理情報を入力する入力手段１１０と、入力された印刷情報を展開した印刷データ、並びに打刻処理を特定するための処理特定コードＣ１を、テープＴ上に印刷する印刷手段１２０と、入力された打刻処理情報に基づく打刻処理データを、処理特定コードＣ１と関連づけて、記憶部３０に書き込む情報書き込み手段１３０と、を備え、点字打刻部２０は、処理特定コードＣ１を読み取る読み取り手段２１０と、記憶部３０を参照し、読み取った処理特定コードＣ１と関連づけられた打刻処理データを読み出す情報読み出し手段２２０と、読み出した打刻処理データに基づいて、打刻処理を行う打刻手段２３０と、を備えたものである。【選択図】  図１
2006272761.tif 000002
【特許請求の範囲】
【請求項１】
処理シート上に印刷を行う印刷処理機構と、
印刷済みの前記処理シートに加工を施す加工処理機構と、
前記印刷処理機構および前記加工処理機構による情報の読み出し／書き込みが可能な記憶装置と、を有する印刷／加工システムであって、
前記印刷処理機構は、
前記印刷を行うための印刷情報、並びに前記加工処理機構に加工処理を実行させるための加工処理情報を入力する入力手段と、
入力された前記加工処理情報に基づく制御プログラムおよび／または制御データである加工処理データを、当該加工処理データを特定するための処理特定データと関連づけて、前記記憶装置に書き込む情報書き込み手段と、
入力された前記印刷情報を展開した印刷データ、並びに前記処理特定データを、前記処理シート上に印刷する印刷手段と、を備え、
前記加工処理機構は、
前記処理シート上に印刷された前記処理特定データを読み取る読み取り手段と、
前記記憶装置を参照し、読み取った前記処理特定データと関連づけられた前記加工処理データを読み出す情報読み出し手段と、
読み出した前記加工処理データに基づいて、加工処理を行う加工手段と、を備えていることを特徴とする印刷／加工システム。
【請求項２】
前記処理特定データは、光学的に読み取り可能なコードであることを特徴とする請求項１に記載の印刷／加工システム。
【請求項３】
前記処理シートは、前記印刷が行われる情報形成層と、その裏面側に積層された剥離紙層とを有し、
前記印刷処理機構は、
前記処理シートの送り方向における先端部寄りまたは後端部寄りの前記情報形成層を幅方向にハーフカットすることにより、前記印刷データを印刷しない非印刷領域を形成するハーフカット手段をさらに備え、
前記印刷手段は、前記非印刷領域に前記処理特定データを印刷することを特徴とする請求項１または２に記載の印刷／加工システム。
【請求項４】
前記加工手段は、前記加工処理として、前記処理シートに点字打刻処理および／または切り抜き文字形成処理を行うことを特徴とする請求項１、２または３に記載の印刷／加工システム。
【請求項５】
前記記憶装置は、パーソナルコンピュータにより構成され、
前記印刷処理機構と前記加工処理機構とは、それぞれ単体の装置であると共に、前記パーソナルコンピュータと通信を行うための通信手段を備えていることを特徴とする請求項１ないし４のいずれか１項に記載の印刷／加工システム。
【請求項６】
前記パーソナルコンピュータは、前記入力手段および前記情報書き込み手段としても機能することを特徴とする請求項５に記載の印刷／加工システム。
【請求項７】
請求項１ないし６のいずれか１項に記載の印刷／加工システムにおける前記印刷処理機構として機能することを特徴とする印刷装置。
【請求項８】
前記記憶装置を装置内に備え、
前記加工処理機構と通信を行うための通信手段を備えていることを特徴とする請求項７に記載の印刷装置。
【請求項９】
請求項１ないし６のいずれか１項に記載の印刷／加工システムにおける前記加工処理機構として機能することを特徴とする加工装置。
【請求項１０】
前記記憶装置を装置内に備え、
前記印刷処理機構と通信を行うための通信手段を備えていることを特徴とする請求項９に記載の加工装置。
【請求項１１】
請求項１ないし４のいずれか１項に記載の印刷／加工システムにおける前記印刷処理機構、前記加工処理機構および前記記憶装置を、１つの筐体内に備えていることを特徴とする印刷／加工装置。
【請求項１２】
処理シートに印刷を行う印刷処理と、当該処理シートに加工を施す加工処理とを行う印刷／加工システムの制御方法であって、
前記印刷処理を行うための印刷情報、並びに前記加工処理を行うための加工処理情報を取得するステップと、
取得した前記加工処理情報に基づく制御プログラムおよび／または制御データである加工処理データを、当該加工処理データを特定するための処理特定データと関連づけて、記憶装置に書き込むステップと、
取得した前記印刷情報を展開した印刷データ、並びに前記処理特定データを、前記処理シート上に印刷するステップと、
前記処理シート上に印刷された前記処理特定データを読み取るステップと、
前記記憶装置を参照し、読み取った前記処理特定データと関連づけられた前記加工処理データを読み出すステップと、
読み出した前記加工処理データに基づいて、加工処理を行うステップと、を実行することを特徴とする印刷／加工システムの制御方法。
【請求項１３】
コンピュータに、請求項１２に記載の印刷／加工システムの制御方法における各ステップを実行させるためのプログラム。
【請求項１４】
請求項１３に記載のプログラムを記録したコンピュータ読み取り可能な記録媒体。
【発明の詳細な説明】
【技術分野】
【０００１】
本発明は、処理シート上に印刷を行う印刷処理機構と、印刷済みの処理シートに加工を施す加工処理機構と、印刷処理機構および加工処理機構による情報の読み出し／書き込みが可能な記憶装置と、を有する印刷／加工システム、並びに当該印刷／加工システムに適用される印刷装置、加工装置、印刷／加工装置、印刷／加工システムの制御方法、プログラムおよび記録媒体に関するものである。
【背景技術】
【０００２】
従来、視覚障害者が認識可能な点字と、視覚障害を有しない晴眼者が視認可能な墨字（点字に対し、通常の印字文字を指す）とを同一形成媒体に配置し、視覚障害者と晴眼者の両者が認識可能な点字ラベルや点字レシートを作成する装置が知られている（例えば、特許文献１参照）。
【特許文献１】特開２００３−１８２１５８号公報（図５等）
【発明の開示】
【発明が解決しようとする課題】
【０００３】
この種の装置は、一般的に墨字を印刷するための印刷情報と、点字を打刻するための打刻情報とを入力・編集しておき、それらの情報に基づいて墨字印刷および点字打刻を一連の工程として行う。したがって、墨字印刷が終了した時点で、一旦ラベルの作成を中断し（電源を切断し）、後で点字打刻を行うといった使い方はできない。また、内容の異なる複数の点字ラベルを作成しようとする場合も、先に墨字印刷を行ったラベルを複数枚作成し、その後複数枚の墨字済みラベルに打刻を行うといった使い方はできない。
【０００４】
当然、設計変更により、印刷情報だけを入力して、墨字が印刷された墨字ラベルを作成し、後に打刻情報を入力して、予め作成しておいた墨字ラベルに点字打刻を行うといった構成にすれば、上記のような使い方も可能であるが、このように、印刷情報だけ、打刻情報だけを入力・編集して各処理を行わせると、最終的に点字ラベルがどのように出来上がるかが分かりづらいといった問題がある。また、墨字印刷の内容と点字打刻の内容が同一の場合、同一の情報に基づいて、墨字印刷と点字打刻とを行わせることも可能であるが、印刷処理と加工処理とを別工程で行う上記の方法では、別々に情報を入力しなければならず、かえって手間が掛かってしまう。
【０００５】
本発明は、このような問題点に鑑み、印刷を行うための印刷情報と、点字打刻などの加工処理を実行させるための加工処理情報とを予め入力・編集しておき、これらの情報に基づく印刷処理と加工処理とを別工程で実行可能な印刷／加工システム、印刷装置、加工装置、印刷／加工装置、印刷／加工システムの制御方法、プログラムおよび記録媒体を提供することを目的とする。
【課題を解決するための手段】
【０００６】
本発明の印刷／加工システムは、処理シート上に印刷を行う印刷処理機構と、印刷済みの処理シートに加工を施す加工処理機構と、印刷処理機構および加工処理機構による情報の読み出し／書き込みが可能な記憶装置と、を有する印刷／加工システムであって、印刷処理機構は、印刷を行うための印刷情報、並びに加工処理機構に加工処理を実行させるための加工処理情報を入力する入力手段と、入力された加工処理情報に基づく制御プログラムおよび／または制御データである加工処理データを、当該加工処理データを特定するための処理特定データと関連づけて、記憶装置に書き込む情報書き込み手段と、入力された印刷情報を展開した印刷データ、並びに処理特定データを、処理シート上に印刷する印刷手段と、を備え、加工処理機構は、処理シート上に印刷された処理特定データを読み取る読み取り手段と、記憶装置を参照し、読み取った処理特定データと関連づけられた加工処理データを読み出す情報読み出し手段と、読み出した加工処理データに基づいて、加工処理を行う加工手段と、を備えていることを特徴とする。
【０００７】
また、本発明の印刷／加工システムの制御方法は、処理シートに印刷を行う印刷処理と、当該処理シートに加工を施す加工処理とを行う印刷／加工システムの制御方法であって、印刷処理を行うための印刷情報、並びに加工処理を行うための加工処理情報を取得するステップと、取得した加工処理情報に基づく制御プログラムおよび／または制御データである加工処理データを、当該加工処理データを特定するための処理特定データと関連づけて、記憶装置に書き込むステップと、取得した印刷情報を展開した印刷データ、並びに処理特定データを、処理シート上に印刷するステップと、処理シート上に印刷された処理特定データを読み取るステップと、記憶装置を参照し、読み取った処理特定データと関連づけられた加工処理データを読み出すステップと、読み出した加工処理データに基づいて、加工処理を行うステップと、を実行することを特徴とする。
【０００８】
これらの構成によれば、印刷処理機構では、入力された印刷情報に基づく印刷データと共に、加工処理を特定するための処理特定データを処理シートに印刷し、さらに入力された加工処理情報に基づく加工処理データを処理特定データと関連づけて記憶装置に書き込んでおくため、加工処理機構では、印刷された処理特定データを読み取り、記憶装置を参照することで、加工処理を実行することができる。すなわち、印刷情報と加工処理情報とを予め印刷処理機構に入力・編集しておき、これらの情報に基づく処理を、印刷処理機構と加工処理機構とに別工程で実行させることができる。なお、「別工程」とは、印刷処理と加工処理とを順列で行う順列処理、並びに印刷処理と加工処理とを並行して行う並列処理のいずれでもないことを指すものである。
また、加工処理機構では、印刷された処理特定データを読み取り、記憶装置を参照して加工処理を行うため、同時に入力された印刷情報および加工処理情報に基づく印刷処理および加工処理を確実に行うことができる。すなわち、印刷処理と加工処理の内容が一致しないといった問題が無く、ユーザの所望する成果物を得ることができる。
また、加工処理の内容を特定する情報だけを、処理特定データとして印刷すれば良いため、加工処理データ（加工処理を行うための制御情報）そのものを処理特定データに含める必要が無い。したがって、例えば制御処理データを指定する特定番号（数字）を処理特定データとして印刷するなど、簡易なデータとすることができる。また、これにより、読み取り手段の構成も簡略化でき、誤認識による誤動作を防ぐことができる。
また、加工処理情報に基づいて生成した加工処理データを記憶装置に書き込んでおき、加工処理機構は当該記憶装置から加工処理データを読み出して加工処理を行うため、大きなデータ容量を要する加工処理も実行可能である。
さらに、２つの処理を別工程で実行可能としたことにより、２つの処理を順列または並列で処理する装置では避けられない機構の複雑化や装置の大型化といった問題を解消することができる。なお、印刷情報と加工処理情報とは、別々に入力するのではなく、両方に共通する情報を一つだけ入力するようにしても良い。
【０００９】
この場合、処理特定データは、光学的に読み取り可能なコードであることが好ましい。
【００１０】
この構成によれば、２次元コード、バーコード、複数の記号や文字から成る符号列などを、加工指示データとして用いることができる。なお、２次元コードとしては、ＱＲコード、Ｍａｘｉコード、Ｖｅｒｉコード、データマトリクス、ＰＤＦ４１７等などを利用可能である。
【００１１】
これらの場合、処理シートは、印刷が行われる情報形成層と、その裏面側に積層された剥離紙層とを有し、印刷処理機構は、処理シートの送り方向における先端部寄りまたは後端部寄りの情報形成層を幅方向にハーフカットすることにより、印刷データを印刷しない非印刷領域を形成するハーフカット手段をさらに備え、印刷手段は、非印刷領域に処理特定データを印刷することが好ましい。
【００１２】
この構成によれば、ハーフカットにより区画される非印刷領域に処理特定データを印刷するため、印刷データを印刷する領域の視認性を損ねるなど、成果物に影響を与えることがない。また、ハーフカットを施すことにより、情報形成層から剥離紙層を剥離し易くなる。
【００１３】
これらの場合、加工手段は、加工処理として、処理シートに点字打刻処理および／または切り抜き文字形成処理を行うことが好ましい。
【００１４】
この構成によれば、処理シートに、印刷（墨字印刷）と、点字打刻処理および／または切り抜き文字形成処理を行う場合に、本発明を適用することができる。なお、カッティングとは、切り抜き文字（記号および図形を含む）の形成の他、処理シートのフルカットやハーフカットを含む処理を指すものである。
【００１５】
これらの場合、記憶装置は、パーソナルコンピュータにより構成され、印刷処理機構と加工処理機構とは、それぞれ単体の装置であると共に、パーソナルコンピュータと通信を行うための通信手段を備えていることが好ましい。
【００１６】
この構成によれば、印刷処理機構および加工処理機構をパーソナルコンピュータに接続することで、本システムを利用することができる。また、印刷処理機構、加工処理機構および記憶装置を、それぞれ別製品とすることで、装置の小型化、低廉化を図ることができると共に汎用性を高めることができる。
【００１７】
この場合、パーソナルコンピュータは、入力手段および情報書き込み手段としても機能することが好ましい。
【００１８】
この構成によれば、印刷処理機構から入力手段および情報書き込み手段を省略可能であるため、装置構成を簡素化することができる。
【００１９】
本発明の印刷装置は、上記のいずれか１項に記載の印刷／加工システムにおける印刷処理機構として機能することを特徴とする。
【００２０】
また、この場合、記憶装置を装置内に備え、加工処理機構と通信を行うための通信手段を備えていることを特徴とする。
【００２１】
これらの構成によれば、入力された印刷情報および加工処理情報に基づいて、印刷データと処理特定データとを処理シート上に印刷しておくことで、後で加工処理機構に加工処理を実行させることができる。また、記憶装置を別個に必要としない。
【００２２】
本発明の加工装置は、上記のいずれか１項に記載の印刷／加工システムにおける加工処理機構として機能することを特徴とする。
【００２３】
また、この場合、記憶装置を装置内に備え、印刷処理機構と通信を行うための通信手段を備えていることを特徴とする。
【００２４】
これらの構成によれば、処理シート上に印刷された処理特定データを読み取ることで、情報入力を必要とすることなく加工処理を実行することができる。また、記憶装置を別個に必要としない。
【００２５】
本発明の印刷／加工装置は、上記のいずれか１項に記載の印刷／加工システムにおける印刷処理機構、加工処理機構および記憶装置を、１つの筐体内に備え、印刷手段による印刷処理と加工手段による加工処理とを別工程で実行することを特徴とする。
【００２６】
この構成によれば、１台の装置で印刷処理と加工処理とを行うことができる。また、これらの印刷処理および加工処理を、連続して行うのではなく、別工程で実行することができる。なお、「別工程」とは、印刷処理と加工処理とを順列で行う順列処理、並びに印刷処理と加工処理とを並行して行う並列処理のいずれでもないことを指すものである。
【００２７】
本発明のプログラムは、コンピュータに、上記に記載の印刷／加工システムの制御方法における各ステップを実行させるためのものであることを特徴とする。
【００２８】
本発明の記録媒体は、上記に記載のプログラムを記録し、コンピュータ読み取り可能であることを特徴とする。
【００２９】
このプログラムを実行させることにより、印刷情報と加工処理情報とを予め印刷処理機構に入力・編集しておき、これらの情報に基づく処理を、印刷処理機構と加工処理機構とに別工程で実行させることができる。
【発明を実施するための最良の形態】
【００３０】
以下、添付の図面を参照して、本発明の一実施形態に係る印刷／加工システム、印刷装置、加工装置、印刷／加工装置、印刷／加工システムの制御方法、プログラムおよび記録媒体について説明する。本発明は、印刷処理機構と加工処理機構と記憶装置を有する印刷／加工システムにおいて、予め入力・編集しておいた印刷情報および加工処理情報に基づく処理シートへの印刷処理と加工処理とを、それぞれ別工程で実行させることができるものである。また、加工処理情報に基づいて生成した加工処理データを記憶装置に保存しておき、加工処理機構は当該記憶装置を参照して加工処理を行うため、大きなデータ容量を要する加工処理も実行可能である。そこで、加工処理として点字打刻処理を行う場合を例に挙げ、本発明の印刷／加工システム等を、視覚障害者が認識可能な点字と、視覚障害を有しない晴眼者が視認可能な墨字とを同一テープ上に配置した点字ラベルを作成するためのラベル作成装置に適用した場合について説明する。
【００３１】
図１は、第１実施形態に係るラベル作成装置１の機能ブロック図である。同図に示すように、ラベル作成装置１は、テープＴ（処理シート）上に印刷を行う墨字印刷部１０（印刷処理機構）と、印刷済みのテープＴに点字打刻を行う点字打刻部２０（加工処理機構）と、墨字印刷部１０および点字打刻部２０による情報の読み出し／書き込みが可能な記憶部３０（記憶装置）と、を有している。墨字印刷部１０は、印刷処理や打刻処理を行うための情報を入力する入力手段１１０と、入力手段１１０による入力に基づいてテープＴ上に印刷を行う印刷手段１２０と、入力された打刻処理に関する情報（以下、「打刻処理情報」と称する）に基づいて生成した制御プログラムおよび／または制御データである打刻処理データを、記憶部３０に書き込む情報書き込み手段１３０と、を主要部として備えている。
【００３２】
入力手段１１０は、テープＴ上に墨字Ｐを印刷するための印刷情報と、点字打刻部２０に打刻処理を実行させるための打刻処理情報を入力する。例えば、図示のように、墨字Ｐ「あいう」を印刷すると共に、点字Ｂ（点訳情報［アイウ］に基づく点字パターン）を打刻したテープＴ（点字ラベルＬ２）を作成したい場合、印刷情報および打刻処理情報として（両方に共通する情報として）、文字情報「あいう」を入力する。なお、印刷情報と打刻処理情報とは、同じ情報ではなく、異なる情報を入力することも可能である。
【００３３】
また、印刷手段１２０は、入力手段１１０によって入力された印刷情報をビットマップデータ化した印刷データ（墨字Ｐ「あいう」）の他、記憶部３０に記憶された打刻処理データを特定するための処理特定コードＣ１（処理特定データ）を印刷する。そして印刷後、テープＴを所定長さに切断することで、墨字ラベルＬ１を作成する。また、情報書き込み手段１３０は、打刻処理データと処理特定コードＣ１とを関連づけて、記憶部３０に書き込む。例えば、処理特定コードＣ１して数値が用いられる場合、記憶部３０は、当該数値（以下、「特定番号」と称する）と、打刻処理データとを関連づけたテーブルを記憶する（図６参照）。なお、「処理特定コードＣ１」とは、特定番号をコード化したものを指し、本実施形態ではバーコードを用いるものとする。
【００３４】
また、「打刻処理データ」には、各点字Ｂを示す点字データ、テープ幅方向における点字位置、余白等に関するデータが含まれる。但し、テープＴの幅や点字打刻部２０の構成によって打刻位置が選択できないような場合は、点字位置に関する情報は不要である。また、各点字Ｂを示す点字データとしては、点字パターンを表す画像データ（ビットマップデータ）ではなく、点字Ｂを構成する複数の打刻ポイントの打刻・非打刻を１ビットずつ１／０で示した１バイトのデータ（６点点字の場合、最初と最後のビットは不使用とする）を用いることが好ましい。この構成によれば、記憶部３０に書き込む打刻処理データのデータ量を少なくすることができる。
【００３５】
一方、点字打刻部２０は、墨字印刷部１０においてテープＴ上に印刷された処理特定コードＣ１を読み取る読み取り手段２１０と、読み取った処理特定コードＣ１に基づいて記憶部３０を参照し、打刻処理データを読み出す情報読み出し手段２２０と、読み出した打刻処理データに基づく打刻処理を行う打刻手段２３０と、を主要部として備えている。読み取り手段２１０は、光学的に撮像対象物（バーコード）を読み取る反射式のイメージセンサ（コード読み取りセンサ９２，図５参照）と、当該イメージセンサによる読み取り結果をデコード処理するデコーダー（図示省略）とから成る。
【００３６】
また、情報読み出し手段２２０は、デコーダーによるデコード結果から特定番号を取得し、記憶部３０を参照して当該特定番号と関連づけられて記憶されている打刻処理データを読み出す。また、打刻手段２３０は、読み出した打刻処理データに基づいてテープＴ上に点字Ｂを打刻する。そして、この点字Ｂを打刻したテープＴが最終的な成果物である点字ラベルＬ２となる。
【００３７】
なお、上記の例では、処理特定コードＣ１としてバーコードを用いるものとしたが、任意のシンボルコード体系（シンボロジー）に合わせて、情報をコード化（エンコード）したマークや画像であれば代用可能である。また、バーコードに代えて２次元コードを用いても良く、２次元コードとしては、ＱＲコード、Ｍａｘｉコード、Ｖｅｒｉコード、データマトリクス、ＰＤＦ４１７等を用いることができる。
【００３８】
次に、図２および図３を参照し、ラベル作成装置１の装置構成について説明する。図２は、ラベル作成装置１の閉蓋状態の外観斜視図であり、図３は、ラベル作成装置１の開蓋状態の外観斜視図である。両図に示すようにラベル作成装置１は、手持ち部分１３を有する装置ケース２により外郭が形成され、当該装置ケース２は、前部ケース２ａと後部ケース２ｂとで一体形成されている。前部ケース２ａは、印刷手段１２０を有し、テープカートリッジＣから繰り出されるテープＴに対して墨字印刷を行う。また、後部ケース２ｂは、点字打刻部２０を有し、ユーザがテープＴを手差し挿入することにより点字打刻を行う。
【００３９】
前部ケース２ａの前部上面には、入力手段１１０（図１参照）として機能するキーボード３が配置されると共に、後部上面には開閉蓋２１が取り付けられている。また、開閉蓋２１には、長方形の形状を有するディスプレイ４が形成されると共に、その左部にテープカートリッジＣを装着するためのカートリッジ装着部６（印刷手段１２０，図１参照）が窪入形成されており、テープカートリッジＣは、蓋体開放ボタン１４の押下により開閉蓋２１が開放された状態でカートリッジ装着部６に着脱可能に装着される。
【００４０】
前部ケース２ａの右側部には、電源供給のための電源供給口１１と、パーソナルコンピュータ等の外部装置（図示省略）と接続するための接続口１２が形成されており、当該接続口１２に外部装置を接続することで、外部装置によって生成された印刷情報や打刻処理情報に基づいて墨字印刷や点字打刻を行い得るようになっている。
【００４１】
また、前部ケース２の左側部には、カートリッジ装着部６と外部とを連通する印刷テープ排出口２２が形成され、この印刷テープ排出口２２には、印刷手段１２０から送り出したテープＴを切断するためのフルカッタ１６２およびハーフカッタ１６４（いずれも図５参照）が臨んでいる。フルカッタ１６２は、印刷後、テープＴの印刷済み部分をフルカットするものであり、当該フルカットによって墨字印刷後のテープＴが印刷テープ排出口２２から排出される。また、ハーフカッタ１６４は、テープを構成する２つの層（後述する）のうち１つの層のみをテープ幅方向にカットするものである。
【００４２】
キーボード３には、文字キー群３ａ、および各種動作モード等を指定するための機能キー群３ｂが配列されている。文字キー群３ａは、印刷情報や打刻処理情報を入力するためのものであり、ＪＩＳ配列に基づいたフルキー構成となっている。また、機能キー群３ｂには、墨字印刷および／または点字打刻を実行させるための実行キー、点字打刻部２０におけるテープＴの送り開始を指示する「送り開始」キー、手動により点字打刻を行わせるための「打刻開始」キーの他、墨字印刷および／または点字打刻を行うための処理モードを選択する「モード選択」キーが含まれる。
【００４３】
「モード選択」キーでは、墨字印刷および点字打刻を行う第１処理モードと、墨字印刷のみを行う第２処理モードとを選択可能となっており、第２処理モードが選択されている場合は、打刻処理データを特定するための処理特定コードＣ１（図１参照）の印刷は行われない。なお、本実施形態では、主に、第１処理モードに設定されている場合について説明する。
【００４４】
ディスプレイ４は、横方向（Ｘ方向）約１２cm×縦方向（Ｙ方向）５cmの長方形の形状の内側に、１９２ドット×８０ドットの表示画像データを表示可能であり、ユーザがキーボード３から情報を入力して、成果物（墨字ラベルＬ１や点字ラベルＬ２）のイメージを確認したり、入力した情報を編集したりする際に用いられる。また、各種エラーやメッセージ（指示内容）を表示し、ユーザに報知する。
【００４５】
カートリッジ装着部６には、ヘッドカバー１５ａ内にサーマルヘッドから成る印刷ヘッド７が内蔵されたヘッドユニット１５と、印刷ヘッド７に対峙するプラテン駆動軸１６と、後述のインクリボンＲを巻き取る巻き取り駆動軸２３と、後述のテープリール１７の位置決め突起２４と、を備えている。また、カートリッジ装着部６の下側には、プラテン駆動軸１６および巻き取り駆動軸２３を回転させる印刷送りモータ１２１（図５参照）が内蔵されている。
【００４６】
テープカートリッジＣは、カートリッジケース５１内部の上部中央部に、一定の幅のテープＴを巻回したテープリール１７と、右下部にインクリボンＲを巻回したリボンリール２５とを収容して構成されており、テープＴとインクリボンＲは同じ幅で構成されている。また、テープリール１７の左下部には上記ヘッドユニット１５を覆うヘッドカバー１５ａに差し込むための貫通孔５５が形成されており、テープＴとインクリボンＲとが重なる部分に対応して、上記プラテン駆動軸１６に嵌合されて回転駆動するプラテンローラ５３が配置されている。一方、上記リボンリール２５に近接してリボン巻き取りリール５４が配置され、リボンリール２５から繰り出されたインクリボンＲは、ヘッドカバー１５ａを周回するように配置されたリボン巻き取りリール５４に巻き取られるようになっている。
【００４７】
テープＴは、裏面に粘着剤層が設けられた基材シート（情報形成層）Ｔａと、この粘着剤層により基材シートに貼付された剥離紙（剥離紙層）Ｔｂとから構成されている。基材シートＴａは、表側から、インクリボンから感熱転写されるインクの定着性を高めた受像層と、ポリエチレンテレフタレート（ＰＥＴ）製のフィルムで構成され、基材シートＴａの主体を為す基材層と、粘着剤で構成された粘着剤層とを積層して構成されている。一方、剥離紙Ｔｂは、基材シートＴａをラベルとして使用する時まで粘着剤層に埃などが付着しないようにするためのものであって、表面にシリコン処理がなされた上質紙などで構成されている。なお、上記の「ハーフカット」とは、剥離紙Ｔｂを剥離し易くするため、積層された基材シートＴａと剥離紙Ｔｂのうち、基材シートＴａのみをテープ幅方向に切断するものである。
【００４８】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１（図５参照）が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図４参照）。
【００４９】
一方、後部ケース２ｂには、その内部に点字打刻を行うアッセンブリ（点字打刻部２０）が組み込まれ、その上面は当該点字打刻部２０が露出するように十字状に開放されている。また、この切り欠き開口部３０の右部にはユーザによりテープＴが手差し挿入される打刻テープ挿入口３１が形成されていると共に、左部には点字打刻後のテープＴが排出される打刻テープ排出口３２が形成されている。
【００５０】
点字打刻部２０は、ソレノイド４７（図５参照）により駆動される３個の打刻ピン４１により点字打刻を行う打刻ユニット８０と、打刻テープ挿入口３１に挿入されたテープＴを打刻テープ排出口３２に向けて送るテープ送り機構６０と、テープＴが搬送されるテープ走行路７０とを有し、テープ送り機構６０の駆動によりテープ走行路７０に沿って送られていくテープＴに対し、打刻ユニット８０により３個の打刻ピン４１を選択的に駆動することで点字Ｂが形成される。
【００５１】
テープ送り機構６０は、正逆回転可能な送りローラ６１と、当該送りローラ６１を装置フレーム６５に支持する支持部材６２と、後述する打刻送りモータ１５１（図５参照）とから成り、送りローラ６１は、形成された点字Ｂを押し潰すことがないよう、テープ走行路７０の幅方向における上下３カ所ずつ（縦３個の打刻ポイントの干渉を逃げる（干渉しないような配置の）環状溝６３（図４参照）が形成されている。
【００５２】
また、打刻ユニット８０は、テープＴの裏面側に配設されると共に上記３個の打刻ピン４１が組み込まれた打刻部材（打刻ヘッド）と、テープＴを挟んで当該打刻部材と対向する位置に設けられた打刻受け部材とから成り、テープ走行路７０の幅方向における下端部に固定配置されている。したがって、最大幅（２４ｍｍ）のテープＴ１に点字打刻を行う場合は、テープＴ１の幅方向における下半部に点字打刻を行うこととなる（図４参照）。
【００５３】
次に、図４を参照し、点字打刻部２０におけるテープ送り、並びに処理特定コードＣ１の読み取り動作について説明する。上記のとおり、点字打刻部２０は、打刻ピン４１によりテープＴに打刻凸部を形成する打刻ユニット８０、テープＴが搬送されるテープ走行路７０、並びにテープ走行路７０に沿ってテープＴを搬送するテープ送り機構６０を備える他、テープＴの搬送をガイドするガイド部材７１，７２と、テープＴの先端を検出する透過型の先端検出センサ９１と、処理特定コードＣ１の読み取りを行うためのコード読み取りセンサ９２と、をさらに備えている。
【００５４】
ところで、上記のとおり、墨字印刷部１０では、剥離紙Ｔｂを剥離しやすくするため、テープ先端部にハーフカット処理を施すが、図示のとおり、当該ハーフカットによって、テープＴは、テープ先端部の非印刷領域（捨て代部）と、テープ後端側の印刷領域とに区画される。なお、「非印刷領域」とは、墨字Ｐ（印刷データ）が印刷されない領域を指すものであり、「印刷領域」とは、墨字Ｐの印刷対象となる領域（ラベルとして利用される領域）を指すものである。また、「非印刷領域」は、テープ幅によらず、そのテープ送り方向における長さＬ０が一定であり、テープ送り方向およびテープ幅方向における所定位置に処理特定コードＣ１が印刷される。すなわち、同図では、Ｔ３上に印刷された処理特定コードＣ１のみを図示しているが、その他のテープＴ２およびテープＴ３も同位置に、同サイズの処理特定コードＣ１が印刷され、固定配置のコード読み取りセンサ９２により読み取りができるようになっている（テープＴ１、Ｔ２の場合、図示下半部に処理特定コードＣ１が印刷される）。また、処理特定コードＣ１が非印刷領域に印刷されることで、印刷領域の視認性を損ねることがない。
【００５５】
また、テープＴ１、Ｔ２，Ｔ３のうち、最大テープ幅のテープＴ１については上下ガイド７１，７２によってガイドされ、それ以外のテープ幅のテープＴ２，Ｔ３については、下ガイド部材７１のみによってガイドされる。例えば、最小テープ幅のテープＴ３を用いる場合、ユーザは、テープＴ３（墨字ラベルＬ１）を下ガイド部材７１に沿ってその先端がテープ送り機構６０（送りローラ６１）に到達するまで（挿入可能な位置まで）手差し挿入する。そして、キーボード３上の「送り開始」キーを押下することでテープ送り機構６０によるテープＴ３の送りを開始させ、先端検出センサ９１によりテープ先端を検出する。テープＴの先端を検出すると、続いてコード読み取りセンサ９２により処理特定コードＣ１を読み取る（検出する）。
【００５６】
処理特定コードＣ１の読み取りは、当該処理特定コードＣ１を検出可能な所定長さ（例えば、テープ先端から処理特定コードＣ１の後端までのテープ送り方向における長さＬ３と、先端検出センサ９１とコード読み取りセンサ９２との間の長さＬ４を加えた長さに、検出誤差を考慮した所定長さを加えた長さ）のテープ送り（正方向へのテープ送り）に伴って行う。なお、テープ先端から最初の打刻列（打刻開始位置）までの前余白長が、打刻ユニット８０（打刻ピン４１）と、先端検出センサ９１との間の長さＬ１にＬ３およびＬ４を加えた長さよりも短く設定されている場合は（但し、送りローラ６１の位置関係上、前余白長が打刻ユニット８０と送りローラ６１との間の長さＬ２よりも長く設定されていることが前提となる）、送りローラ６１を逆回転させることでテープＴを送り戻し、適当な位置まで送ったところで打刻および正方向へのテープ送りを開始する。点字打刻およびテープ送りは、テープ送り機構６０を駆動する打刻送りモータ１５１の回転を検出する打刻部回転速度センサ１７３（図５参照）の検出結果と、打刻処理データとに基づいて実行する。
【００５７】
また、打刻終了後は、テープ送り機構６０により後余白分（最後の打刻列（打刻終了位置）からテープ後端までの長さ分）のテープ送りを行うことで、打刻テープ排出口３２からテープＴ（点字ラベルＬ２）を排出する。なお、打刻ユニット８０による打刻開始は、先端検出センサ９１によるテープ先端の検出をトリガとするのではなく、ユーザがキーボード３上の「打刻開始」キーを押下することにより手動開始させることも可能である。
【００５８】
次に、図５を参照し、ラベル作成装置１の制御構成について説明する。ラベル作成装置１は、キーボード３（入力手段１１０，図１参照）およびディスプレイ４を有し、ユーザによる情報入力や各種情報の表示などユーザインターフェースを司る操作手段１５０と、テープカートリッジＣ、印刷ヘッド７および印刷送りモータ１２１を有し、テープＴおよびインクリボンＲを搬送しながらテープＴ上に印刷情報を展開した印刷データを印刷する印刷手段１２０と、フルカッタ１６２およびハーフカッタ１６４（ハーフカット手段）、並びにこれらを駆動するフルカッタモータ１６１およびハーフカッタモータ１６３（ハーフカット手段）を有し、印刷済みテープＴを所定長さとなるように切断する切断手段１６０と、ソレノイド４７、打刻ピン４１および打刻送りモータ１５１を有し、テープＴを搬送しながらテープＴ上に打刻処理情報に基づく打刻処理データを打刻する打刻手段２３０と、テープＴ（テープカートリッジＣ）の種別を検出するテープ識別センサ１７１、点字打刻部２０においてテープＴの先端を検出する先端検出センサ９１、同じく点字打刻部２０においてテープＴに印刷された処理特定コードＣ１を読み取るコード読み取りセンサ９２（読み取り手段２１０，図１参照）、印刷送りモータ１２１の回転速度を検出する印刷部回転速度センサ１７２、打刻送りモータ１５１の回転速度を検出する打刻部回転速度センサ１７３を有し、各種検出を行う検出手段１７０と、ディスプレイドライバ１８１、ヘッドドライバ１８２、印刷送りモータドライバ１８３、カッタモータドライバ１８４，１８５、打刻ドライバ１８６および打刻送りモータドライバ１８７を有し、各手段を駆動する駆動手段１８０と、各手段と接続され、ラベル作成装置１全体を制御する制御手段１９０と、によって構成されている。
【００５９】
制御手段１９０は、ＣＰＵ１９１、ＲＯＭ１９２、ＲＡＭ１９３および入出力制御装置（以下、「ＩＯＣ：Input Output Controller」という）１９４を備え、互いに内部バス１９５により接続されている。ＲＯＭ１９２は、印刷処理や打刻処理の他、処理特定コードＣ１（バーコード）を墨字印刷するためのプログラムなど、ＣＰＵ１９１で制御するための各種制御プログラムを記憶する制御プログラムブロック１９２ａと、墨字印刷を行うための文字フォントデータや点字打刻を行うための点字パターンデータなど、各種制御データを記憶する制御データブロック１９２ｂとを有している。
【００６０】
ＲＡＭ１９３は、フラグ等として使用される各種ワークエリアブロック１９３ａの他、生成された印刷データ（ビットマップデータ）を記憶する印刷データブロック１９３ｂと、処理特定コードＣ１を印刷するためのビットマップデータを記憶する処理特定コードブロック１９３ｃと、生成された打刻処理データと処理特定コードＣ１とを関連づけて記憶する打刻処理データブロック１９３ｄ（記憶部３０）と、コード読み取りセンサ９２により読み取ったデータのデコード結果（特定番号）を記憶するデコード結果ブロック１９３ｅと、を有し、制御処理のための作業領域として使用される。また、ＲＡＭ１９３は電源が切断されても記憶したデータを保持しておくように常にバックアップされている。
【００６１】
ＩＯＣ１９４には、ＣＰＵ１９１の機能を補うと共に各種周辺回路とのインタフェース信号を取り扱うための論理回路が、ゲートアレイやカスタムＬＳＩなどにより構成されて組み込まれている。これにより、ＩＯＣ１９４は、キーボード３からの入力データや制御データをそのまま或いは加工して内部バス１９５に取り込むと共に、ＣＰＵ１９１と連動して、ＣＰＵ１９１から内部バス１９５に出力されたデータや制御信号を、そのまま或いは加工して駆動手段１８０に出力する。
【００６２】
そして、ＣＰＵ１９１は、上記の構成により、ＲＯＭ１９２内の制御プログラムに従って、ＩＯＣ１９４を介してラベル作成装置１内の各手段から各種信号・データを入力する。また、入力した各種信号・データに基づいてＲＡＭ１９３内の各種データを処理し、ＩＯＣ１９４を介してラベル作成装置１内の各手段に各種信号・データを出力することにより、印刷処理や打刻処理の制御などを行う。また、ＣＰＵ１９１は、打刻処理データブロック１９３ｄに打刻処理データを書き込む情報書き込み手段１３０、並びに打刻処理データブロック１９３ｄから打刻処理データを読み出す情報読み出し手段２２０（いずれも図１参照）としても機能する。
【００６３】
ここで、図６を参照し、打刻処理データブロック１９３ｄ（記憶部３０）に記憶されている情報について説明する。ここでは、処理特定コードＣ１と関連づけて記憶された打刻処理データの内容を、点訳情報と前余白に関する情報のみを抽出して、テーブル形式で簡易的に示す。例えば、同図に示すように、ＣＰＵ１９１が読み出した処理特定コードＣ１が「001」という特定番号である場合、点訳情報［アイウ］に基づく点字Ｂを、前余白（最初の打刻列までのテープ送り長さ）「普通」で打刻する内容の打刻処理データを読み出し、当該打刻処理データに基づいて制御を行う。また、処理特定コードＣ２が「002」という特定番号である場合、ＣＰＵ１９１は点訳情報［カキク］に基づく点字Ｂを、前余白「多め」で打刻するよう制御する。このように、打刻処理データブロック１９３ｄに打刻処理データを一旦格納しておき、読み出した処理特定コードＣ２に基づいて、当該処理特定コードＣ２と関連づけられている打刻処理データを読み出すことで、制御情報そのものを処理特定コードＣ２に含める必要が無いため、処理特定コードＣ２のデータ容量を小さくすることができる。したがって、比較的記憶容量の小さいコードであるバーコードを、処理特定コードＣ２として用いることができ（図１参照）、これに伴ってコード読み取りセンサ９２の構成も簡略化することができる。
【００６４】
なお、図１は、墨字Ｐ「あいう」と、点字Ｂ（点訳情報［アイウ］）とが重なった場合（墨字Ｐと点字Ｂの前余白がいずれも「普通」に設定されている場合）のラベル作成結果を示しているが、仮に点字Ｂの前余白が「多め」に設定されている場合は、図示よりも幾分後端側から（例えば墨字Ｐ「い」に重なる位置から）打刻が開始されることとなる。また、このように、点字Ｂの前余白が「多め」に設定されている場合、図示のテープ長では、点字Ｂが収まらなくなるため、その分墨字ラベルＬ１の後余白が長く設定された状態で墨字ラベルＬ１が作成されることとなる。
【００６５】
次に、図７および図８を参照し、主にＣＰＵ１９１によって実行される印刷処理および打刻処理について説明する。図７は印刷処理のフローチャート、図８は打刻処理のフローチャートである。図７に示すように、印刷処理では、まずキーボード３より情報が入力されると（Ｓ１１）、これに基づいて、ディスプレイ４上に最終的に作成される点字ラベルＬ２（図１参照）のイメージを表示する（プレビュー表示，Ｓ１２）。そして、ユーザが当該プレビュー表示を確認して、適宜情報の編集を行い、情報入力を確定すると（キーボード３により点字ラベルＬ２を作成するための指示（第１処理モードの実行指示）を行うと）、入力された情報を、墨字印刷のための印刷情報と、点字打刻のための打刻処理情報とに分割する（Ｓ１３）。なお、印刷モードと打刻モードに切り替えて、別々に情報入力を行う場合、当該Ｓ１３は省略可能である。
【００６６】
そして、印刷情報に基づいて印刷データを生成し、印刷データブロック１９３ｂに一時的に格納すると共に、同じく打刻処理情報に基づいて打刻処理データを生成し、打刻処理データブロック１９３ｄに一時的に格納する。さらに、テーブルの格納アドレス等に基づいて、特定番号を自動生成すると共に、当該特定番号をバーコード化した処理特定コードＣ１を印刷するためのビットマップデータを生成し、処理特定コードブロック１９３ｃに一時的に格納する（Ｓ１４）。
【００６７】
そして、データの生成、格納を終えると、印刷送りモータ１２１の駆動を開始し、印刷部回転速度センサ１７２の検出結果に応じて印刷ヘッド７を駆動することにより、印刷データブロック１９３ｂ内の印刷データに基づく墨字印刷を行う（Ｓ１５）。またこのとき、印刷データと共に、処理特定コードＣ１の印刷も行う。その後、印刷データに基づく後余白分のテープ送りを行うことで、フルカッタ１６２によりテープ後端部を切断し（Ｓ１６）、印刷テープ排出口２２からテープＴ（墨字ラベルＬ１）を排出する（Ｓ１７）。
【００６８】
続いて、図８を参照し、打刻処理について説明する。ユーザによる手差しにより、短冊状に切断されたテープＴ（墨字ラベルＬ１）が打刻テープ挿入口３１に挿入されると（Ｓ２１）、打刻部回転速度センサ１７３の検出結果に基づいて打刻送りモータ１５１を駆動することによりテープ送りを行い、コード読み取りセンサ９２により処理特定コードＣ１を読み取る（Ｓ２２）。また、その読み取り結果をデコードし（Ｓ２３）、さらにそのデコード結果である特定番号に基づいて、打刻処理データブロック１９３ｄを参照し、打刻処理データを読み出す（Ｓ２４）。そして、当該打刻処理データに基づいてソレノイド４７を駆動することにより点字打刻を行い（Ｓ２５）、打刻終了後、打刻処理データに基づく後余白分のテープ送りを行うことで、打刻テープ排出口３２からテープＴ（点字ラベルＬ２）を排出する（Ｓ２６）。
【００６９】
このように、本実施形態によれば、墨字印刷部１０では、入力された印刷情報に基づく印刷データと共に、点字打刻部２０で処理する打刻処理データを特定するための処理特定コードＣ１をテープＴ上に印刷するため、点字打刻部２０では、印刷された処理特定コードＣ１を読み取り、記憶部３０を参照することで、打刻処理を実行することができる。すなわち、１台の装置で、２つの処理を実行可能であると共に、印刷情報と打刻処理情報とを予め入力・編集しておき、これらの情報に基づく処理を、墨字印刷部１０と点字打刻部２０とに別工程で実行させることができる。したがって、墨字印刷が終了した時点で、一旦ラベルの作成を中断し（電源を切断し）、後で点字打刻を行うといった使い方が可能となると共に、内容の異なる複数の点字ラベルを作成しようとする場合も、先に墨字印刷を行った墨字ラベルＬ１を複数枚作成し、その後複数枚の墨字ラベルＬ１に打刻を行い、点字ラベルＬ２を作成するといった使い方も可能となる。
【００７０】
また、図７の処理と図８の処理とを別工程で実行可能としたことにより、２つの処理を順列または並列で処理する装置では避けられない機構の複雑化や使い勝手の悪さを解消することができる。例えば、本実施形態のラベル作成装置１が、墨字印刷部１０において処理特定コードＣ１を印刷しない構成であったとすると、印刷処理と打刻処理とを順列で処理することとなり、印刷処理と打刻処理とを連続して行うことが前提となる。ところが、点字打刻部２０へ挿入するラベルを間違えてしまうと（直前に作成した墨字ラベル以外のラベルを挿入してしまうと）、墨字印刷の内容と点字打刻の内容が一致しないラベルが作成されてしまう。これに対し、本実施形態では、処理特定コードＣ１を印刷し、当該処理特定コードＣ１の読み取り結果に基づいて打刻を行うため、ユーザが所望するとおりの点字ラベルＬ２を作成することができる。
【００７１】
また、打刻処理の内容を特定する情報だけを、処理特定コードＣ１として印刷すれば良いため、打刻処理を行うための制御情報そのものをコードに含める必要が無い。したがって、処理特定コードＣ１を簡易なデータとすることができ、ひいては、読み取り手段２１０の構成も簡略化できると共に、誤認識による誤動作を防ぐことができる。しかも、処理特定コードＣ１に含められるデータ容量によって、処理の内容が制限されることがない。
【００７２】
また、処理特定コードＣ１は、ハーフカットにより区画される非印刷領域に印刷されるため、印刷データを印刷する領域の視認性を損ねるなど、成果物に影響を与えることがない。また、ハーフカットを施すことにより、基材シートＴａから剥離紙Ｔｂを剥離し易くなる。
【００７３】
次に、図９を参照し、本発明の第２実施形態について説明する。上記の実施形態では、ラベル作成装置１といった１つの筐体（装置ケース２，図２参照）に、墨字印刷部１０、点字打刻部２０および記憶部３０が備えられているものとしたが、本実施形態では、墨字印刷部１０および記憶部３０を有する墨字印刷装置１００と、点字打刻部２０を有する点字打刻装置２００とが別装置となった点で異なる。そこで、これら２つの装置によって構成されるラベル作成システムＳＹ２について、第１実施形態と異なる点を中心に説明する。
【００７４】
図９は、本実施形態に係るラベル作成システムＳＹ２の機能ブロック図である。同図に示すように、本実施形態のラベル作成システムＳＹ２は、入力手段１１０印刷手段１２０および情報書き込み手段１３０の他、上記の記憶部３０として機能する記憶手段３１０、並びに点字打刻装置２００と通信を行うための通信手段１４０を備えた墨字印刷装置１００と、読み取り手段２１０、情報読み出し手段２２０および打刻手段２３０の他、墨字印刷装置１００と通信を行うための通信手段２４０を備えた点字打刻装置２００とから成る。墨字印刷装置１００は、図２に示す前部ケース２ａに相当し、点字打刻装置２００は、同じく図２に示す後部ケース２ｂに相当する。したがって、装置構成の説明は省略する。
【００７５】
上記の構成により、墨字印刷装置１００は、入力手段１１０により入力された打刻処理情報に基づいて生成した打刻処理データを、情報書き込み手段１３０によって記憶手段３１０に書き込む。また、その打刻処理データを特定するための特定番号をコード化した処理特定コードＣ１と、入力された印刷情報に基づいて生成した印刷データとを、印刷手段１２０によってテープＴ上に印刷する。
【００７６】
一方、打刻処理を行う際は、まずユーザが、ケーブル等を介して墨字印刷装置１００と点字打刻装置２００とを接続しておく。そして、点字打刻装置２００にテープＴ（墨字ラベルＬ１）を挿入すると、点字打刻装置２００は読み取り手段２１０によりテープＴに印刷された処理特定コードＣ１を読み取り、そのデコード結果である特定番号に基づいて、情報読み出し手段２２０が、通信手段２４０，１４０を介して記憶手段３１０から打刻処理データを読み出す。そして、読み出した打刻処理データに基づいて、打刻手段２３０により点字打刻を行い、点字ラベルＬ２を作成する。
【００７７】
このように、本実施形態では、印刷処理と打刻処理とを別装置で行うようにしたため、各装置の小型化、低廉化を図ることができると共に、各装置の汎用性を高めることができる。つまり、普段墨字印刷のみを行うユーザは、墨字印刷装置１００のみを購入し、点字ラベルＬ２を作成したい場合のみ、点字打刻装置２００を他のユーザから借りて接続するといった使い方が可能である。また、点字打刻を行う場合は、複雑な操作を必要とせず、テープＴを打刻挿入口３１（図２参照）に挿入するだけで良いため、普段使い慣れていないユーザでも、容易に操作することができる。
【００７８】
なお、点字打刻装置２００は、図９に示したような単純な構成ではなく、入力手段１１０を備えて、単体でも点字打刻処理が行い得るように構成しても良い。また、点字打刻装置２００に表示手段を備え、打刻処理データの読み出し結果に基づいて、打刻結果をプレビュー表示できるようにしても良い。また、そのプレビュー表示の確認結果に応じて、実際に打刻処理を実行するか否かをユーザが選択できるように構成しても良い。
【００７９】
さらに、入力された打刻処理情報に基づく打刻処理データの生成を、墨字印刷装置１００ではなく、点字打刻装置２００側で行うようにしても良い。この場合、墨字印刷装置１００は入力された打刻処理情報を、例えば点字コード等で記憶し、これをそのまま点字打刻装置２００に送信することとなる。この構成によれば、墨字印刷装置１００の制御負担を軽くすることができる。
【００８０】
また、墨字印刷装置１００と点字打刻装置２００とをケーブル接続（有線接続）するのではなく、赤外線通信やＢｌｕｅＴｏｏｔｈ等を用いた無線接続により通信を行うようにしても良い。
【００８１】
次に、図１０を参照し、本発明の第３実施形態について説明する。上記の第２実施形態では、墨字印刷装置１００に記憶手段３１０を備えるものとしたが、本実施形態では、点字打刻装置２００に記憶手段３２０を備えた点で異なる。すなわち、本実施形態では、印刷処理を行う前に、まずユーザがケーブル等を介して墨字印刷装置１００と点字打刻装置２００とを接続しておく。墨字印刷装置１００は、入力された打刻処理情報に基づいて生成した打刻処理データを、情報書き込み手段１３０により、通信手段１４０，２４０を介して点字打刻装置２００内の記憶手段３２０に書き込む。一方、点字打刻装置２００は、当該記憶手段３２０から打刻処理データを読み出し、点字打刻を行う。
【００８２】
このように、本実施形態によれば、第２実施形態と同様に、印刷処理と打刻処理とを別装置で行うようにしたため、各装置の小型化、低廉化を図ることができるといった効果を奏すると共に、打刻処理を行う時点では、両装置が通信できない状態であっても良いため、先に打刻処理データだけを点字打刻装置２００に送信しておけば、最終的な成果物である点字ラベルＬ２を、点字打刻装置２００単体で作成することができる。
【００８３】
なお、本実施形態においても、点字打刻装置２００に入力手段１１０や表示手段を備えても良いし、墨字印刷装置１００から点字コード等を受信して点字打刻装置２００側で打刻処理データを生成し、これを記憶手段３２０に記憶するようにしても良い。
【００８４】
次に、図１１および図１２を参照し、本発明の第４実施形態について説明する。上記の第２実施形態、第３実施形態では、記憶手段３１０，３２０を墨字印刷装置１００または点字打刻装置２００内に備えるものとしたが、本実施形態では、これをパーソナルコンピュータ４００（以下、単に「ＰＣ」と表記する）に組み込んだ点で異なる。また、印刷情報や打刻処理情報を入力する入力手段１１０も、当該ＰＣ４００によって機能する。そこで、上記の実施形態と異なる点を中心に説明する。
【００８５】
図１１に示すように、本実施形態のラベル作成システムＳＹ４は、印刷手段１２０および通信手段１４０を有する墨字印刷装置１００と、読み取り手段２１０、情報読み出し手段２２０、打刻手段２３０および通信手段２４０を有する点字打刻装置２００と、入力手段４１０、通信手段４２０、表示手段４３０（表示画面Ｄ，図１２参照）、情報書き込み手段４４０および記憶手段４５０を有するＰＣ４００とから成る。なお、ＰＣ４００には、墨字ラベルＬ１や点字ラベルＬ２のレイアウトを作成するための支援ソフト（アプリケーション）、並びに墨字印刷装置１００および点字打刻装置２００の制御を行うためのドライバが予めインストールされているものとする。
【００８６】
この場合、図１２に示すように、表示画面Ｄ上にテープＴの印刷領域のイメージＴＩ（以下、「テープイメージ」と称する）を表示すると共に、当該テープイメージＴＩ上に、印刷内容を示す墨字オブジェクトＯｐと、打刻内容を示す点字オブジェクトＯｂとを配置する。そして、ユーザが各オブジェクトＯｐ，Ｏｂを移動・配置することで点字ラベルＬ２のレイアウトを作成し、ＰＣ４００が当該レイアウトに基づいて、印刷データおよび打刻処理データを生成する。すなわち、ＰＣ４００は、墨字オブジェクトＯｐの内容および配置に基づいて、印刷データを生成すると共に、点字オブジェクトＯｂの内容および配置に基づいて、打刻処理データを生成する。なお、テープイメージＴＩ上に直接テキスト入力が可能である場合は、墨字オブジェクトＯｐだけでなく、この直接入力されたテキストの内容および位置に基づくデータも印刷データに含まれることとなる。
【００８７】
ここで、ラベル作成システムＳＹ４における印刷処理について説明する。上記の構成により、ＰＣ４００は、入力手段４１０により入力された印刷情報および打刻処理情報に基づいて、表示画面Ｄに点字ラベルＬ２のプレビュー表示を行う（図１２参照）。また、当該表示を確認しながら適宜印刷情報および打刻処理情報の編集を行う。また、打刻処理情報に基づいて生成した打刻処理データを、自動生成した特定番号と関連づけて情報書き込み手段４４０によって記憶手段４５０に書き込む。また、入力手段４１０により入力された印刷情報に基づいて生成した印刷データ、並びに情報書き込み手段４４０が記憶手段４５０に書き込んだ特定番号を、通信手段４２０、１４０を介して墨字印刷装置１００に送信する。墨字印刷装置１００は、受信した当該特定番号をコード化した処理特定コードＣ１と、受信した印刷データとに基づいて、印刷手段１２０によりテープＴ上に印刷を行う。
【００８８】
一方、打刻処理を行う場合、点字打刻装置２００は、読み取り手段２１０によりテープＴ上に印刷された処理特定コードＣ１を読み取り、そのデコード結果である特定番号に基づいて、情報読み出し手段２２０が、通信手段２４０，４２０を介して記憶手段４５０から打刻処理データを読み出す。そして、読み出した打刻処理データに基づいて、打刻手段２３０により点字打刻を行う。
【００８９】
このように、本実施形態によれば、入力手段４１０、表示手段４３０および情報書き込み手段４４０をＰＣ４００により機能させることで、情報入力・編集の操作性が向上すると共に、墨字印刷装置１００の装置構成を簡素化することができる。
【００９０】
なお、通信手段１４０，４２０は、少なくともＰＣ４００が印刷データおよび特定番号を送信する際に通信可能であれば良く、通信手段２４０，４２０は、少なくとも点字打刻装置２００が打刻処理データを読み出す際に通信可能であれば良い。また、インターネット等のネットワークを介して、墨字印刷装置１００と点字打刻装置２００とＰＣ４００とが接続される構成であっても良い。
【００９１】
次に、図１３ないし図１５を参照し、本発明の第５実施形態について説明する。上記の実施形態では、墨字印刷処理の後、点字打刻処理を行うものとしたが、本実施形態では、点字打刻処理に代えて切り抜き文字形成処理を行う点で異なる。そこで、墨字印刷装置１００と、切り抜き文字形成処理を行うカッティング装置５００と、ＰＣ４００とによって構成されるラベル作成システムＳＹ５について、第４実施形態と異なる点を中心に説明する。
【００９２】
図１３は、本実施形態に係るラベル作成システムＳＹ５の機能ブロック図である。同図に示すように、本実施形態のラベル作成システムＳＹ５は、印刷手段１２０および通信手段１４０を有する墨字印刷装置１００と、読み取り手段５１０、情報読み出し手段５２０、切断手段５３０および通信手段５４０を有するカッティング装置５００と、入力手段４１０、通信手段４２０、表示手段４３０、情報書き込み手段４４０および記憶手段４５０を有するＰＣ４００とから成る。
【００９３】
カッティング装置５００の読み取り手段５１０は、コード読み取りセンサ５０６（図１４参照）およびデコーダー（図示省略）から成る。また、情報読み出し手段５２０は、読み取り手段５１０の読み取り結果（切断指示コードＣ２のデコード結果）である特定番号に基づいて、通信手段５２０，４２０を課して切断処理データを読み出す。切断手段５３０は、読み出した切断処理データに基づいて、テープＴ上に切り抜き文字ＣＴを形成する。切り抜き文字ＣＴの形成は、切り文字領域のアウトラインをハーフカットする（積層された基材シートＴａと剥離紙Ｔｂのうち、基材シートＴａのみのカットを行う，図３参照）ことにより行われる。そして、この切り抜き文字ＣＴが形成されたテープＴが最終的な成果物であるカッティングラベルＬ３となる。
【００９４】
上記の構成により、印刷処理では、まずＰＣ４００の入力手段４１０により、印刷手段１２０においてテープＴ上に墨字Ｐを印刷するための印刷情報と、カッティング装置５００に切り抜き文字形成処理を実行させるための切断処理情報を入力する。例えば、図示のように、墨字「あいう」を印刷すると共に、この３つの墨字Ｐを囲む領域の切り抜き（切り抜き文字ＣＴの形成）を行ったカッティングラベルＬ３を形成したい場合、印刷情報として文字情報「あいう」を入力すると共に、切断処理情報として、外枠「丸囲み枠」を設定する。
【００９５】
また、表示手段４３０は、入力手段４１０により入力された印刷情報および打刻処理情報に基づいて、表示画面Ｄ（図１２参照）に点字ラベルＬ２のプレビュー表示を行う。また、情報書き込み手段４４０は、切断処理情報に基づいて生成した制御プログラムおよび／または制御データである切断処理データを、これを特定する特定番号と関連づけて記憶手段４５０に書き込む。なお、「切断処理データ」には、切り抜き文字ＣＴの形状、個数、位置を示すデータが含まれる。
【００９６】
また、ＰＣ４００は、入力手段４１０により入力された印刷情報に基づいて生成した印刷データ、並びに打刻処理データを特定するための特定番号を、通信手段４２０、１４０を介して墨字印刷装置１００に送信する。墨字印刷装置１００の印刷手段１２０は、受信した印刷データと、特定番号に基づく切断指示コードＣ２とをテープＴ上に印刷する。また、墨字印刷装置１００は、第１実施形態と同様に、印刷手段１２０による印刷中において、非印刷領域と印刷領域とを区画するためのハーフカット処理（図４参照）を行い、印刷後にフルカットを行うことで墨字ラベルＬ１を作成する。
【００９７】
また、切り抜き文字形成処理では、カッティング装置５００が、読み取り手段５１０により処理特定コードＣ２を読み取り、そのデコード結果である特定番号に基づいて、情報読み出し手段５２０が、通信手段５４０，４２０を介して記憶手段４５０から切断処理データを読み出す。そして、読み出した切断処理データに基づいて、切断手段２３０により切り抜き文字ＣＴのアウトラインカットを行い、カッティングラベルＬ３を作成する。
【００９８】
ここで、図１４を参照し、カッティング装置５００の装置構成について説明する。同図に示すように、カッティング装置５００は、装置の外郭を構成する装置ケース５０１と、装置ケース５０１内に導入したテープＴに対し、アウトラインカットを行うカッティング機構５４０（切断手段５２０）と、装置ケース５０１内に水平に延在するテープ走行路５０２に沿ってテープＴを正逆送りするカッティング送り機構５５０と、手差しされたテープＴをテープ走行路５０２に導入する給紙機構５６０と、を備えると共に、カッティング送り機構５５０と給紙機構５６０との間においてテープ走行路５０２に臨むように配設したコード読み取りセンサ５０６（読み取り手段５１０）と、カッティング送り機構５５０の主送りローラ５５１の下流側近傍に配設した先端検出センサ５０７と、上記の各機構を統括制御するコントローラ５７０（制御手段）と、を備えている。
【００９９】
装置ケース５０１の一方の端部には、手差しされたテープＴを受け入れるための挿入口５８１が形成されており、挿入口５８１には、装置ケース５０１内から給紙機構５６０が臨んでいる。また、挿入口５８１の直下に位置して装置ケース５０１の一方の端部には、テープ走行路５０２の上流端に臨むように退避口５８２が形成され、さらに装置ケース５０１の他方の端部には、テープ走行路５０２の下流端に臨むように排出口５８３が形成されている。挿入口５８１から送り込まれたテープＴは、給紙機構５６０によりテープ走行路５０２に導入された後、テープ走行路５０２上において、カッティング送り機構５５０の正逆送りとカッティング機構５４０のカッティング動作との協働により、所望の形状（切り抜き文字ＣＴ）のアウトラインカットが行われる。カッティング機構５４０の正逆送りでは、テープＴは退避口５８２から一旦装置ケース５０１の外部に排出される。
【０１００】
給紙機構５６０は、挿入口５８１からテープ走行路５０２に向かって斜め下向きに延在する導入プレート５６１と、導入プレート５６１の上側に配設した給紙ローラ５６２と、給紙ローラ５６２を駆動する給紙モータ５６３と、を有している。導入プレート５６１に沿って挿入口５８１からテープＴを挿入（手差し）した後、ユーザが所定の開始操作を行うと、給紙モータ５６３により給紙ローラ５６２が回転してテープＴをテープ走行路５０２に送り込んでいく。テープＴの先端部分がコード読み取りセンサ５０６の位置に達すると、コード読み取りセンサ５０６がテープＴ上に印刷されている切断指示コードＣ２を読み取ると同時に、カッティング送り機構５５０が駆動を開始し、テープＴは、給紙機構５６０からカッティング送り機構５５０に受け渡される。
【０１０１】
カッティング送り機構５５０は、カッティング機構５４０の上流側に配置した主送りローラ５５１と、カッティング機構５４０の下流側に配置した副送りローラ５５２と、これら両ローラ５５１，５５２を正逆回転駆動する送りモータ５５３と、送りモータ５５３の回転動力を両ローラ５５１，５５２に伝達する動力伝達機構５５４と、を備えている。主送りローラ５５１は、テープＴの正逆送り量を制御し、副送りローラ５５２は、スリップ回転（正送りでは送り量大、逆送りでは送り量小）し、送られていくテープＴに張りを与えるよう機能する。給紙機構５６０から主送りローラ５５１に受け渡されたテープＴは、主送りローラ５５１の下流側に位置する先端検出センサ５０７により、その先端を検出され、これを基準にテープＴの送り量が精度良く制御される。そして、このカッティング送り機構５５０に同期して、カッティング機構５４０が往復のカッティング動作を行うようになっている。
【０１０２】
カッティング機構５４０は、先端に鉛直軸廻りに回転する斜刃を有するカッティングバイト５４１と、カッティングバイト５４１を保持するバイトキャリッジ５４２と、バイトキャリッジ５４２を介してカッティングバイト５４１をテープ走行路５０２に直行する方向に往復動させるタイミングベルト５４３と、タイミングベルト５４３を正逆走行させるキャリッジモータ５４４と、を備えると共に、これら構成装置を介してカッティングバイト５４１をアップダウンさせるアップダウン機構５４５と、アップダウン機構５４５を駆動するアップダウンモータ５４６と、を備えている。
【０１０３】
キャリッジモータ５４４により、タイミングベルト５４３を正逆走行させ、タイミングベルト５４３に固定したバイトキャリッジ５４２を介してカッティングバイト５４１を往復動させることにより、カッティングバイト５４１が往復のカッティング動作し、これにカッティング送り機構５５０によるテープＴの正逆送りを同期させることで、切り抜き文字ＣＴのアウトラインカットが行われる。また、アウトラインカットの開始位置および終了位置において、アップダウンモータ５４６を駆動して、カッティングバイト５４１の上げ下げを行う。
【０１０４】
このように、カッティング送り機構５５０によるテープＴの正逆送りと、カッティング機構５４０によるカッティングバイト５４１の往復動とにより、所望の形状の切り抜き文字ＣＴのアウトラインカットが行われるが、本実施形態では、この切り抜き文字ＣＴの形状や位置に関する情報を、テープＴ上に印刷されている切断指示コードＣ２の読み取り結果に基づいてＰＣ４００（記憶手段４５０）から読み出す。そして、この読み出した切断処理データに基づいて、カッティング動作を行う。
【０１０５】
このように、本実施形態では、印刷処理後に、切り抜き文字ＣＴの形成処理を行う場合であっても、予め入力・編集しておいた印刷情報と切断処理情報とに基づく処理を、墨字印刷装置１００とカッティング装置５００とにそれぞれ別工程で実行させて、カッティングラベルＬ３を作成することができる。
【０１０６】
なお、本実施形態では、墨字印刷装置１００において、非印刷領域と印刷領域とを区画するためのハーフカット処理を行うものとしたが、カッティング装置５００のカッティング機構５４０（切断手段５２０）を用いて、ハーフカットを施すようにしても良い。
【０１０７】
また、本実施形態では、墨字印刷装置１００とカッティング装置５００とが別装置であるものとしたが、第１実施形態のように同一装置であっても良い。また、入力手段４１０や表示手段４３０を、墨字印刷装置１００に備えても良いし、記憶手段４５０を墨字印刷装置１００またはカッティング装置５００のいずれかに備えても良い。
【０１０８】
また、本実施形態では、挿入されたテープＴが、給紙ローラ５６２、コード読み取りセンサ５０６、主送りローラ５５１、先端検出センサ５０７の順にそれぞれ臨むように送られるものとしたが、給紙ローラ５６２の配置を省略し、図４に示すように、先端検出センサ５０７の下流側にコード読み取りセンサ５０６を配置しても良い。また、逆に第１実施形態で示した点字打刻部２０のテープ走行路７０に給紙ローラ５６２を設け、本実施形態で示した順序でコード読み取り動作や送り動作を行うようにしても良い。
【０１０９】
また、カッティング装置５００は、図１３に示すカッティングラベルＬ３に形成した外枠（丸囲み枠）の切り抜き文字ＣＴ以外にも多様な切り抜き文字ＣＴを形成可能である。例えば、図１５（ａ）に示すように、入力手段４１０により切断処理情報として、文字単位の囲み枠を設定し、当該囲み枠を切り抜き文字ＣＴとしても良い。この切り抜き文字ＣＴを形成するための情報入力は、例えば、文字装飾の一つとして「切り抜き文字による囲み枠」を設定することにより可能である。
【０１１０】
また、同図（ｂ）に示すように、墨字Ｐとして黒四角を文字数分だけ印刷するように印刷情報を入力すると共に、その黒四角の位置に合わせて文字の切り抜きを行うように切断処理情報を入力しても良い。この場合は、例えば文字装飾の「墨文字の切り抜き」を設定することにより情報入力が可能である。なお、墨字Ｐを印刷せず、文字の切り抜きだけを行いたい場合は、例えば「文字の切り抜き」を設定し、墨字印刷装置１００では処理特定コードＣ２のみを印刷して、所定長さの空白ラベルを作成し、その後カッティング装置５００において切り抜き文字ＣＴを形成すれば良い。
【０１１１】
また、同図（ｃ）に示すように、墨字Ｐとして文字地紋を印刷するように印刷情報を入力すると共に、その上に所定のマークの切り抜き文字ＣＴを形成するように切断処理情報を入力しても良い。この場合は、例えば印刷モードで墨字Ｐの「地紋印刷」を設定し、さらに切断モードに切り替えて、「文字（マーク）の切り抜き」を設定することにより情報入力が可能である。
【０１１２】
なお、上記の５つの実施形態では、打刻処理データや切断処理データを特定するための特定番号を、処理特定コードＣ１，Ｃ２（バーコード）として、テープＴ上に印刷するものとしたが、コードに限らず、例えば、特定番号（数字）そのものなど、複数の記号や文字（テキスト）から成る符号列やマークを印刷しても良い。また、点字打刻の場合は、その点訳情報を示すテキストデータ（例えば［アイウ］）を印刷しても良いし、切り抜き文字形成処理の場合は、切り抜き文字ＣＴの形とその大きさを示す数値とを印刷するようにしても良い。すなわち、加工を行う装置が処理内容を判別可能な情報であれば、どのような形態であっても良い。
【０１１３】
また、上記のラベル作成システムＳＹ３，ＳＹ４、ＳＹ５、ラベル作成装置１、墨字印刷装置１００、点字打刻装置２００、ＰＣ４００またはカッティング装置５００の各部（各機能）をプログラムとして提供しても良い。また、そのプログラムを記録媒体（図示省略）に格納して提供しても良い。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【０１１４】
また、上述した実施例によらず、ラベル作成システムＳＹのシステム構成や各装置の装置構成、情報形成媒体の種類、並びに処理工程等について、本発明の要旨を逸脱しない範囲で、適宜変更も可能である。また、点字打刻や切り抜き文字形成を行う場合以外でも、例えば複数色の印刷を行う場合、第１印刷装置、第２印刷装置として、第１印刷装置において第２印刷装置の印刷処理の内容を加工指示コードとして印刷するなどの使い方も可能である。すなわち、同一の情報形成媒体に、印刷処理後何らかの加工処理を行うシステムまたは装置であれば、本発明を適用可能である。
【０１１５】
また、印刷処理後の加工処理は、１つに限らず複数種類の加工を行うことも可能である。この場合、１つの処理特定コードに複数の処理を行うための複数の特定番号を含めても良いし、処理毎に複数の処理特定コードを印刷するようにしても良い。
【図面の簡単な説明】
【０１１６】
【図１】第１実施形態に係るラベル作成装置の機能ブロック図である。
【図２】ラベル作成装置の閉蓋状態の外観斜視図である。
【図３】ラベル作成装置の開蓋状態の外観斜視図である。
【図４】点字打刻部におけるテープ送り、並びに処理特定コードの読み取り動作を説明する図である。
【図５】ラベル作成装置の制御ブロック図である。
【図６】記憶部を説明するための図である。
【図７】ラベル作成装置における印刷処理を示すフローチャートである。
【図８】ラベル作成装置における打刻処理を示すフローチャートである。
【図９】第２実施形態に係るラベル作成システムの機能ブロック図である。
【図１０】第３実施形態に係るラベル作成システムの機能ブロック図である。
【図１１】第４実施形態に係るラベル作成システムの機能ブロック図である。
【図１２】表示手段の画面表示の一例を示す図である。
【図１３】第５実施形態に係るラベル作成システムの機能ブロック図である。
【図１４】カッティング装置の内部構成図である。
【図１５】カッティングラベル作成結果の一例を示す図である。
【符号の説明】
【０１１７】
１：ラベル作成装置、１０：墨字印刷部、２０：点字打刻部、１００：墨字印刷装置、２００：点字打刻装置、１１０：入力手段、１２０：印刷手段、１３０：情報書き込み手段、１４０：通信手段、２１０：読み取り手段、２２０：情報読み出し手段、２３０：打刻手段、２４０：通信手段、４００：ＰＣ、４１０：入力手段、４２０：通信手段、４３０：表示手段、４４０：情報書き込み手段、４５０：記憶手段、５００：カッティング装置、５１０：読み取り手段、５２０：切断手段、５４０：通信手段、Ｂ：点字、ＣＴ：切り抜き文字、Ｃ１：処理特定コード、Ｃ２：切断指示コード、Ｏｂ：点字オブジェクト、Ｏｐ：墨字オブジェクト、Ｐ：墨字、ＳＹ：ラベル作成システム、Ｔ：テープ、ＴＩ：テープイメージ
【図１】
2006272761.tif 000003
【図２】
2006272761.tif 000004
【図３】
2006272761.tif 000005
【図４】
2006272761.tif 000006
【図５】
2006272761.tif 000007
【図６】
2006272761.tif 000008
【図７】
2006272761.tif 000009
【図８】
2006272761.tif 000010
【図９】
2006272761.tif 000011
【図１０】
2006272761.tif 000012
【図１１】
2006272761.tif 000013
【図１２】
2006272761.tif 000014
【図１３】
2006272761.tif 000015
【図１４】
2006272761.tif 000016
【図１５】
2006272761.tif 000017